(57)【要約】 【課題】  新たな設備を導入しなくても３Ｄ放送を実現することが可能な映像送信装置及びこの映像送信装置に用いられる３次元映像送信プログラムを提供する。【解決手段】  映像送信装置は、振分部、第１及び第２のデコーダ及び映像管理部を具備する。振分部は、右目用圧縮データと左目用圧縮データとを受信し、右目用圧縮データと左目用圧縮データとを別々の出力先へ出力する。第１のデコーダは、右目用圧縮データをデコードし、右目用映像信号を作成する。第２のデコーダは、左目用圧縮データをデコードし、左目用映像信号を作成する。映像管理部は、右目用映像信号及び左目用映像信号を保持し、三次元再生制御に応じて保持する同一フレームの右目用映像信号及び左目用映像信号に基づき、三次元映像信号を作成する。【選択図】図１
2012138856.tif 000002
【特許請求の範囲】
【請求項１】
右目用の映像素材を圧縮した右目用圧縮データと、左目用の映像素材を圧縮した左目用圧縮データとを受信し、前記右目用圧縮データと前記左目用圧縮データとを別々の出力先へ出力する振分部と、
前記振分部からの前記右目用圧縮データをデコードし、右目用映像信号を作成する第１のデコーダと、
前記振分部からの前記左目用圧縮データをデコードし、左目用映像信号を作成する第２のデコーダと、
前記右目用映像信号及び前記左目用映像信号を保持し、三次元放送を行う旨の三次元再生制御に応じて保持する同一フレームの右目用映像信号及び左目用映像信号に基づき、三次元映像信号を作成する映像管理部と、
を具備することを特徴とする映像送信装置。
【請求項２】
前記振分部は、前記右目用圧縮データを受信し、前記受信した右目用圧縮データを前記第１のデコーダへ出力し、
前記映像管理部は、前記第１のデコーダからの右目用映像信号を保持し、一時停止及び巻き戻し再生を含む特殊再生を行う旨の特殊再生制御に応じ、保持する右目用映像信号に対して前記特殊再生を行うことを特徴とする請求項１記載の映像送信装置。
【請求項３】
前記振分部は、前記左目用圧縮データを受信し、前記受信した左目用圧縮データを前記第２のデコーダへ出力し、
前記映像管理部は、前記第２のデコーダからの左目用映像信号を保持し、一時停止及び巻き戻し再生を含む特殊再生を行う旨の特殊再生制御に応じ、保持する左目用映像信号に対して前記特殊再生を行うことを特徴とする請求項１記載の映像送信装置。
【請求項４】
第１及び第２の圧縮データを受信し、前記第１及び第２の圧縮データを別々の出力先へ出力する振分部と、
第１の圧縮データをデコードして第１の映像信号を作成する第１のデコーダと、
第２の圧縮データをデコードして第２の映像信号を作成する第２のデコーダと、
前記第１及び第２の映像信号を保持しながら、前記第１及び第２の映像信号を切り替えて出力する映像管理部と
を具備する映像送信装置で用いられる三次元映像送信プログラムであって、
右目用の映像素材を圧縮した右目用圧縮データと、左目用の映像素材を圧縮した左目用圧縮データとを別々の出力先へ出力する振分処理を前記振分部に実行させ、
前記振分部からの右目用圧縮データをデコードし、右目用映像信号を作成する第１のデコード処理を前記第１のデコーダに実行させ、
前記振分部からの左目用圧縮データをデコードし、左目用映像信号を作成する第２のデコード処理を前記第２のデコーダに実行させ、
前記右目用映像信号及び前記左目用映像信号を保持し、三次元放送を行う旨の三次元再生制御に応じ、保持する同一フレームの右目用映像信号及び左目用映像信号に基づき、三次元映像信号を作成する三次元映像信号作成処理を前記映像管理部に実行させることを特徴とする三次元映像送信プログラム。
【請求項５】
前記映像送信装置を更新するためのプログラムであることを特徴とする請求項４記載の三次元映像送信プログラム。
【発明の詳細な説明】
【技術分野】
【０００１】
本発明の実施形態は、３次元映像を送信する映像送信装置及びこの映像送信装置に用いられる３次元映像送信プログラムに関する。
【背景技術】
【０００２】
従来、テレビ放送は二次元（2 dimension:2D）のみで映像を表現していた。しかしながら、２Ｄでの映像表現の行き詰まりにより映像を三次元（3 dimension:3D）で表現した映画（３Ｄ映画）が作成された。３Ｄ映画は爆発的ヒットとなり、近年急速に普及している。
【０００３】
３Ｄ映画が普及することにより、映像コンテンツ及び再生機の３Ｄ化も進んできている。これに伴い、テレビ放送の３Ｄ化も望まれている。しかしながら、テレビ放送の３Ｄ化は、テレビ放送を行う事業者にとって３Ｄ用設備の新規導入に繋がる。すなわち、例えば、既設の２Ｄ送出サーバ設備を３Ｄ映像の送出に対応させるためには、新たな３Ｄ対応送出サーバ設備及び３Ｄ変換機器等を設置しなければならない。これにより、設備購入費用、入れ替えのための人的資源、リスク対応、新設機器の設置スペースが必要となる等、多くの資金及びリソースを必要とするという問題がある。
【先行技術文献】
【特許文献】
【０００４】
【特許文献１】特開平１０−２４３４１９号公報
【発明の概要】
【発明が解決しようとする課題】
【０００５】
以上のように、テレビ放送の３Ｄ化が望まれているが、３Ｄ用設備の新規導入には多くの資金及びリソースが必要となるという問題がある。
【０００６】
そこで、目的は、新たな設備を導入しなくても３Ｄ放送を実現することが可能な映像送信装置及びこの映像送信装置に用いられる３次元映像送信プログラムを提供することにある。
【課題を解決するための手段】
【０００７】
実施形態によれば、映像送信装置は、振分部、第１及び第２のデコーダ及び映像管理部を具備する。振分部は、右目用の映像素材を圧縮した右目用圧縮データと、左目用の映像素材を圧縮した左目用圧縮データとを受信し、前記右目用圧縮データと前記左目用圧縮データとを別々の出力先へ出力する。第１のデコーダは、前記振分部からの前記右目用圧縮データをデコードし、右目用映像信号を作成する。第２のデコーダは、前記振分部からの前記左目用圧縮データをデコードし、左目用映像信号を作成する。映像管理部は、前記右目用映像信号及び前記左目用映像信号を保持し、三次元放送を行う旨の三次元再生制御に応じて保持する同一フレームの右目用映像信号及び左目用映像信号に基づき、三次元映像信号を作成する。
【図面の簡単な説明】
【０００８】
【図１】本実施形態に係る映像送信装置の機能構成を示すブロック図である。
【図２】図１の映像送信装置が三次元再生を行う際の図である。
【図３】従来の２Ｄ放送用の映像送信装置が二次元再生を行う際の図である。
【発明を実施するための形態】
【０００９】
以下、実施の形態について、図面を参照して説明する。
【００１０】
図１は、本実施形態に係る映像送信装置１０の機能構成を示すブロック図である。図１に示す映像送信装置１０は、データ格納部２０と接続される。映像送信装置１０は、受信部１１、振分部１２、第１のデコーダ１３、第２のデコーダ１４、映像管理部１５及び制御部１６を具備する。
【００１１】
データ格納部２０は、ＭＰＥＧ２等の映像圧縮技術を用いて、右目用の映像信号素材を圧縮ファイル化した右目用圧縮データと、左目用の映像信号素材を圧縮ファイル化した左目用圧縮データとを格納している。右目用の映像信号素材は、撮影対象を右目用に撮影することにより得られる。また、左目用の映像信号素材は、撮影対象を左目用に撮影することにより得られる。
【００１２】
データ格納部２０は、後述する制御部１６の再生制御に従い、右目用圧縮データ及び左目用圧縮データのうち予め設定された一方、例えば右目用圧縮データ、を映像送信装置１０へ出力する。また、データ格納部２０は、制御部１６の三次元再生制御に従い、右目用圧縮データ及び左目用圧縮データを時分割多重した多重データを映像送信装置１０へ出力する。なお、以下では、制御部１６の再生制御に応じてデータ格納部２０から右目用圧縮データが出力される場合を例に説明するが、左目用圧縮データが出力される場合であっても同様に実施可能である。
【００１３】
受信部１１は、データ格納部２０からの右目用圧縮データ又は多重データを受信する。
【００１４】
振分部１２は、受信部１１で受信された右目用圧縮データを第１のデコーダ１３へ出力する。また、振分部１２は、受信部１１で受信された多重データに含まれる右目用圧縮データを第１のデコーダ１３へ出力し、左目用圧縮データを第２のデコーダ１４へ出力する。
【００１５】
第１のデコーダ１３は、振分部１２により振り分けられた右目用圧縮データを、予め設定された復号化方式に基づいて、右目用映像信号に変換する。第１のデコーダ１３は、右目用映像信号を映像管理部１５へ出力する。
【００１６】
第２のデコーダ１４は、振分部１２により振り分けられた左目用圧縮データを、予め設定された復号化方式に基づいて、左目用映像信号に変換する。第２のデコーダ１４は、左目用映像信号を映像管理部１５へ出力する。
【００１７】
映像管理部１５は、処理部１５１及びメモリ１５２を備える。メモリ１５２は、例えば複数のフラッシュメモリから成り、右目用映像信号を記録するための第１の領域と、左目用映像信号を記録するための第２の領域とを有する。
【００１８】
処理部１５１は、制御部１６からの特殊再生制御に従い、第１のデコーダ１３からの右目用映像信号の一時停止及び巻き戻し再生等の特殊再生を行う。このとき、処理部１５１は、右目用映像信号をメモリ１５２の第１の領域に保持することで、特殊再生時の右目用映像信号の入力速度と出力速度とを調整する。
【００１９】
また、処理部１５１は、制御部１６からの三次元再生制御に従い、第１のデコーダ１３からの右目用映像信号と、第２のデコーダ１４からの左目用映像信号とに基づいて三次元映像信号を作成する。このとき、処理部１５１は、第１のデコーダ１３からの右目用映像信号を第１の領域に保持し、第２のデコーダ１４からの左目用映像信号を第２の領域に保持する。そして、処理部１５１は、保持する右目用映像信号及び左目用映像信号のうち、同一フレームの右目用及び左目用映像信号に対してサイドバイサイド、フレームシーケンシャル又はラインバイライン等の手法を用いることで三次元映像信号を作成する。処理部１５１は、作成した三次元映像信号を外部へ出力する。
【００２０】
なお、映像素材の圧縮方式によっては、フレーム間に相関関係のあるものがある。右目用圧縮データ及び左目用圧縮データがフレーム間に相関関係のある圧縮方式により圧縮されている場合、デコード後の映像信号には再生部と付随部とが含まれる。再生部は映像信号のうち実際に再生したい部分をいい、付随部は圧縮データにデコード処理を施した際に再生部と付随して得られる部分をいう。処理部１５１は、右目用映像信号のうち付随部を除いた再生部と、左目用映像信号のうち付随部を除いた再生部とに基づいて三次元映像信号を作成する。
【００２１】
制御部１６は、予め設定される放送プログラムに従い、データ格納部２０に対して再生制御及び三次元再生制御を行う。例えば、制御部１６は、放送プログラムに２Ｄ放送が予定されている場合には、データ格納部２０に対して再生制御を行う。また、制御部１６は、放送プログラムに３Ｄ放送が予定されている場合には、データ格納部２０及び映像管理部１５に対して三次元再生制御を行う。
【００２２】
また、制御部１６は、特殊再生を実行する旨の指示が入力された場合、映像管理部１５に対して特殊再生制御を行う。
【００２３】
次に、以上のように構成された映像送信装置１０の動作について詳細に説明する。
【００２４】
図２は、本実施形態に係る映像送信装置１０において三次元再生が行われる際の模式図を示す。
【００２５】
制御部１６は、放送プログラムに従い、図２に示す時刻ｔ１で、データ格納部２０に対して再生制御を行う。これにより、右目用圧縮データがデータ格納部２０から読み出され、第１のデコーダ１３へ供給される。第１のデコーダ１３は、読み出された右目用圧縮データを右目用映像信号Ｓ１へ変換し、映像管理部１５へ出力する。映像管理部１５は、右目用映像信号Ｓ１を外部へ出力する。
【００２６】
また、制御部１６は、時刻ｔ２で、データ格納部２０に対して三次元再生制御を行う。これにより、時刻ｔ２〜ｔ３の間はデータ格納部２０から、右目用圧縮データに加えて左目用圧縮データが読み出される。左目用圧縮データは振分部１２により第２のデコーダ１４へ供給され、第２のデコーダ１４で左目用映像信号Ｓ２へ変換される。映像管理部１５は、時刻ｔ２’から時刻ｔ３’の期間で右目用映像信号の再生部と左目用映像信号の再生部とから三次元映像信号を作成し、外部へ出力する。これにより、映像管理部１５は、時刻ｔ１から時刻ｔ２’の期間は右目用映像信号Ｓ１を出力し、時刻ｔ２’から時刻ｔ３’の期間は三次元映像信号を出力し、時刻ｔ３’から時刻ｔ４の期間は右目用映像信号Ｓ１を出力することとなる。
【００２７】
次に、従来の２Ｄ放送用の映像送信装置について説明する。２Ｄ放送用の映像送信装置は、図１に示す映像送信装置１０と同様に、受信部、振分部、第１のデコーダ、第２のデコーダ、映像管理部及び制御部を具備する。
【００２８】
映像圧縮にフレーム相関のある圧縮方式を用いた場合、第１のデコーダでは、再生が望まれる再生部に加え、再生が望まれていない付随部までもデコードされる。デコードに実時間を必要とするデコーダを用いた場合、再生したい時間よりデコードに要する時間の方が長くなるため、送出サーバのように複数の素材を連続して再生することを求められる機器では、１台のデコーダでは再生をまかないきることができない。そこで、第１及び第２のデコーダでデコード処理を並列して行うことで、付随部を除去するようにしている。
【００２９】
すなわち、図３に示すように、第１のデコーダは、第１の圧縮データをデコードし、第１の映像信号Ｓ３に変換する。また、第２のデコーダは、第２の圧縮データをデコードし、第２の映像信号Ｓ４に変換する。第１の映像信号Ｓ３の終了付近及び第２の映像信号Ｓ４の開始付近には、付随部が含まれている。映像管理部は、第１及び第２の映像信号Ｓ３，Ｓ４をメモリに保持しながら、第１の映像信号Ｓ３の終了付近の付随部が第２の映像信号Ｓ４の再生部と重なるように、第１及び第２のデコーダを切り替えることで、第１及び第２の映像信号Ｓ３，Ｓ４に含まれる付随部を除去する。
【００３０】
また、２Ｄ放送用の映像送信装置の映像管理は、デコードされた映像信号の一時停止及び巻き戻し再生等のデコーダが苦手とする特殊再生を行う。
【００３１】
以上のように、本実施形態に係る映像送信装置１０は、２Ｄ放送用の映像送信装置と同様の構成要素を有するが、第１のデコーダ１３で右目用圧縮データをデコードし、第２のデコーダ１４で左目用圧縮データをデコードし、映像管理部１５で三次元映像信号を作成するようにしている。本実施形態に係る映像送信装置１０は、２Ｄ放送用の映像送信装置に、三次元映像送信のプログラムをインストールし、データ格納部２０に右目用圧縮データ及び左目用圧縮データが格納させることにより実現可能である。三次元映像送信のプログラムは、データ格納部２０から多重データを出力させ、振分部１２により右目用圧縮データと左目用圧縮データとを振り分け、映像管理部１５により右目用映像信号及び左目用映像信号に基づいて三次元映像信号を作成するように設計される。
【００３２】
２Ｄ放送用の映像送信装置で映像信号を切り替えるための第１及び第２のデコーダ、及び、特殊再生用の映像管理部は、３Ｄ放送に親和性が高い。そのため、従来の２Ｄ放送用の映像送信装置の構成要素を転用することで、特別な機器を増設せずとも、３Ｄ放送用の映像送信装置を実現させることが可能である。これにより、新規設備の導入と比べ大幅に機器費用及び人件費等を抑えることが可能となり、また、新たな設置場所を用意する必要が無くなる。
【００３３】
なお、従来の２Ｄ放送用の映像送信装置で実現できていたフレーム単位での切り替え機能を犠牲にすることにはなる。しかしながら、２Ｄ−３Ｄ間の切り替わりには３Ｄメガネの着脱や目の慣らしが必要であるため、フレーム単位での切替機能を犠牲にしたとしても、映像送信装置としての価値を損なうものではない。
【００３４】
また、上記実施形態では、制御部１６からの三次元再生制御に従って三次元映像信号を作成するようにしている。これにより、２Ｄ放送の任意の位置で３Ｄ放送を行うことが可能となる。
【００３５】
また、上記実施形態では、データ格納部２０に格納されている右目用圧縮データ及び左目用圧縮データをデコードした右目用映像信号及び左目用映像信号に基づいて三次元映像信号を作成している。これは、右目用映像信号及び左目用映像信号から予め三次元映像信号を作成し、データ格納部２０に予め格納しておくものとは異なる。すなわち、３Ｄ放送と２Ｄ放送とを自在に切り替えることが可能である。また、既成の三次元映像信号を分解して２次元用の映像信号を作成するわけではないので、２Ｄ放送において画質が悪化することはない。
【００３６】
したがって、本実施形態に係る映像送信装置１０によれば、２Ｄ放送用の映像送信装置に新たな設備を導入しなくても３Ｄ放送を実現することができる。
【００３７】
なお、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３８】
１０…映像送信装置
１１…受信部
１２…振分部
１３…第１のデコーダ
１４…第２のデコーダ
１５…管理部
１５１…処理部
１５２…メモリ
１６…制御部
２０…データ格納部
【図１】
2012138856.tif 000003
【図２】
2012138856.tif 000004
【図３】
2012138856.tif 000005